(57)【特許請求の範囲】
【請求項１】
蒸気噴霧管から帯状物に蒸気を噴霧して該帯状物を湿潤する帯状物の湿潤装置において、
前記蒸気噴霧管を三重管構造に構成して、該三重管の内管に蒸気を供給すると共に、三重管の中管と外管との間に前記蒸気よりも高温の流体を供給し、
前記内管に供給された蒸気を、内管の第１の噴霧孔から、内管と中管との空間に噴き出して、該空間に設けられた邪魔板により該空間を略一周させ、そして、中管の第２の噴霧孔から、中管と外管との間に設けられた連結管、及び外管の第３の噴霧孔を介して前記帯状物に噴霧するようにしたことを特徴とする帯状物の湿潤装置。
【請求項２】
蒸気噴霧管から帯状物に蒸気を噴霧して該帯状物を湿潤する帯状物の湿潤装置において、
前記蒸気噴霧管は三重管構造に構成され、
前記三重管の内管には蒸気が供給されると共に、その長手方向に所定の間隔で第１の噴霧孔が形成され、
前記三重管の中管には、前記第１の噴霧孔に近接して第２の噴霧孔が形成され、
前記三重管の外管には、前記第２の噴霧孔に対応して第３の噴霧孔が形成され、
前記内管と前記中管との間で、前記第１の噴霧孔と第２の噴霧孔との間には、第１の噴霧孔からの蒸気が遠回りをして第２の噴霧孔に流れるように邪魔板が設けられ、
前記中管と前記外管との間には、前記第２の噴霧孔と第３の噴霧孔とを連通する連通管が設けられると共に、前記内管に供給された蒸気よりも高温の流体が供給されることを特徴とする帯状物の湿潤装置。
【請求項３】
前記蒸気噴霧管の外管には、外管の第３の噴霧孔から噴霧された蒸気の噴霧方向を前記帯状物に向けて変更する変更板が設けられていることを特徴とする請求項１、又は２記載の帯状物の湿潤装置。
【請求項４】
前記変更板は中空に形成され、該中空部に前記高温の流体が供給されることを特徴とする請求項３記載の帯状物の湿潤装置。
【発明の詳細な説明】
【０００１】
【発明の属する技術分野】
本発明は帯状物の湿潤装置に関し、特に感光性平版印刷版の支持体である帯状金属支持板に蒸気を噴霧する帯状物の湿潤装置に関するものである。
【０００２】
【従来の技術】
感光性平版印刷版のＰＳ版（Pre-Sensitized Plateの略称）は、アルミニウム板等の帯状金属支持体上に感光性組成物が層状に塗布されて用いられている。
ＰＳ版の製造工程において、特公昭６１−４８９９４号公報には、印刷用の刷版の真空密着時間を短縮するために、支持体上に形成された感光層表面をマット化させる工程があり、更に、マット粒子を感光層表面に強固に付着させるために、感光層表面を湿潤させる工程がある。
【０００３】
感光層表面の湿潤装置は、支持体の幅方向に蒸気噴霧管を配置し、この蒸気噴霧管の長手方向に所定の間隔をもって形成された噴霧孔から蒸気を噴霧する。これにより、感光層表面を湿潤している。
ところで、このような湿潤装置では、蒸気が蒸気噴霧管で冷却されて、蒸気噴霧管の内壁に結露が生じてしまい、蒸気を効率良く噴霧することができなくなるという問題がある。また、噴霧した直後の蒸気が蒸気噴霧管に触れて冷却されて、蒸気噴霧管の外表面に結露が生じ、この結露が水滴となって落下すると、その下方に位置している支持体の感光層表面を濡らしてしまうという問題もある。
【０００４】
そこで、前記結露の問題は、蒸気噴霧管を二重管構造に構成し、内管に蒸気を供給すると共に、外管に内管に供給する蒸気よりも高温の流体を流すことにより解消することができる。
【０００５】
【発明が解決しようとする課題】
しかしながら、蒸気噴霧管を二重管構造にすると、内管の噴霧孔から外管の噴霧孔に蒸気が流れる時に、その流路が短いため蒸気流に発生した乱流が消えないうちに蒸気が噴霧されるので、蒸気を帯状物に均一に噴霧することができないという欠点がある。
【０００６】
本発明はこのような事情に鑑みて成されたもので、蒸気を帯状物に均一に、かつ、効率良く噴霧することができる帯状物の湿潤装置を提供することを目的とする。
【０００７】
【課題を解決する為の手段】
本発明は、前記目的を達成する為に、蒸気噴霧管から帯状物に蒸気を噴霧して該帯状物を湿潤する帯状物の湿潤装置において、前記蒸気噴霧管を三重管構造に構成して、該三重管の内管に蒸気を供給すると共に、三重管の中管と外管との間に前記蒸気よりも高温の流体を供給し、前記内管に供給された蒸気を、内管の第１の噴霧孔から、内管と中管との空間に噴き出して、該空間に設けられた邪魔板により該空間を略一周させ、そして、中管の第２の噴霧孔から、中管と外管との間に設けられた連結管、及び外管の第３の噴霧孔を介して前記帯状物に噴霧するようにしたことを特徴としている。
【０００８】
請求項１、２記載の発明によれば、蒸気噴霧管の内管に蒸気が供給されると、この蒸気は内管の第１の噴霧孔から、内管と中管との空間に噴き出される。噴き出された蒸気は、邪魔板によって第２の噴霧孔に対する近道が遮断されているので、遠回りをして第２の噴霧孔に向かって流れる。この時に蒸気流は均一化され、そして、この状態で蒸気は、第２の噴霧孔から連結管を介して第３の噴霧孔から帯状物に向けて噴霧される。
【０００９】
したがって、本発明では、内管と中管との間に邪魔板を配置して、蒸気の流路を長くしたので、蒸気流を均一化して噴霧することができる。よって、蒸気を帯状物に均一に噴霧することができる。なお、内管と中管との間に流れる蒸気は、中管と外管との間に供給されている高温の流体により中管が加熱されているため、中管に結露することはなく、また、第３の噴霧孔から噴き出された蒸気が外管に触れても、外管も前記流体により加熱されているので、外管に結露することはない。
【００１０】
請求項３記載の発明は、蒸気噴霧管の外管に変更板を設け、この変更板によって、蒸気の噴霧方向を帯状物に向けて変更したものである。これにより、本発明は、蒸気を濃い状態で噴霧することができるので、湿潤効率が向上する。
請求項４記載の発明は、変更板の中空部に前記高温の流体を流すことにより、蒸気が変更板に結露するのを防止したものである。変更板の中空部と、中管と外管との空間部とを連通すれば、中管と外管との間に供給した流体を変更板の中空部にそのまま流すことができる。
【００１１】
【発明の実施の形態】
以下添付図面に従って本発明に係る帯状物の湿潤装置の好ましい実施の形態について詳説する。
図１は、本発明の実施の形態に係る帯状物の湿潤装置が適用された、ＰＳ版の製造工程の一部を示す説明図である。感光層が形成されたＰＳ版の帯状金属支持体１０は、別の装置によって製造されて、図１に示す装置へ導入される。支持体１０は、温度調節室１２で表面温度が調整されたのち、パスロール１４により方向転換されて静電塗装装置１８に向けて搬送される。静電塗装前に感光層を湿潤させたい場合には、塗布前湿潤装置１６が駆動され、また、静電塗装後に感光層を湿潤させたい場合には、塗布後湿潤装置２０が駆動される。更に、マット付着前後にわたって湿潤させたい場合には、両方の湿潤装置１６、２０が駆動される。支持体１０が静電塗装装置１８を通過する時、静電塗装装置１８により樹脂を溶解又は分散させた水性液が静電的に荷電され、微細な液滴となって飛来して、支持体１０の表面に付着する。その後、支持体１０は、乾燥室２２に入り、加温かつ低湿度の室内雰囲気の中で乾燥されたのち、パスロール２４により方向転換されて次工程に搬送される。ここで、符号１６、１８、２０におけるＡの符号、即ち１６Ａ、１８Ａ、２０Ａは、支持体１０の一面１０Ａに対する装置を示し、Ｂの符号、即ち１６Ｂ、１８Ｂ、２０Ｂは、支持体１０の他面１０Ｂに対する装置を示す。
【００１２】
図２は、前記湿潤装置１６、２０に適用された蒸気噴霧管３０の一部破断を含む側面図である。この蒸気噴霧管３０は、両湿潤装置１６、２０に各４本ずつ配置されると共に、各湿潤装置１６、２０において支持体１０の一面側に２本、他面側に２本ずつそれぞれ配置されている。ここでは、１本の蒸気噴霧管３０の構成について説明し、他の７本については構成が同一なので説明は省略する。
【００１３】
蒸気噴霧管３０は図３に示すように、内管３２、中管３４、及び外管３６から成る三重管構造に構成されている。蒸気噴霧管３０は、帯状の支持体１０に対して幅方向に配置されると共に、その長手方向に突設された変更板３８の長さが支持体１０の幅よりも若干長めに形成されている。なお、図３は、支持体１０を挟んで設けられた２本の蒸気噴霧管３０Ａ、３０Ｂの断面図であり、１本の蒸気噴霧管３０についてみれば図２中３−３線に沿った断面図である。
【００１４】
前記蒸気噴霧管３０は図２に示すように、図中左端が蓋４０によって遮蔽され、図中右端が蓋４６によって遮蔽されている。前記蓋４０には図４に示すように、予めリング５４によって結合された中管３４と外管３６の左端部が固着されると共に、内管３２の左端を支持するための係合部材４８が突設されている。一方、前記蓋４６は図５に示すようにドーナツ状に形成され、内管３２に蒸気を供給するためのノズル５０が取付けてある。また、ノズル５０にはネジ５２が刻まれ図中に示されていない蒸気管と結合される。前記中管３４と外管３６の右端は、左端と同様に予めリング５４で結合された状態でドーナツ状のフランジ４２に固着されている。また、前記内管３２の右端にはドーナツ状のフランジ４４が取付けられてあり、内管３２の左端をフランジ４２の開口部から挿入し、先端部（左端部）は図６に示すように４本の係合部材４８によって中管３４、外管３６とほぼ同軸上に支持される。ボルト５６はフランジ４４と蓋４６に設けられた穴を貫通し、フランジ４２に刻まれた雄ネジと螺合する。この際、内管３２に供給される蒸気の漏れを防止するために、フランジ４４と蓋４６の間にパッキン５８が、また、内管の噴霧孔６０から内管３２と中管３４の間の空間７０に噴き出した蒸気の漏れを防止するためにフランジ４２と４４の間にも同じパッキン５８が装着されている。
【００１５】
図３において、内管３２には第１の噴霧孔６０が形成される。この第１の噴霧孔６０は、内管３２の長手方向に所定の間隔で形成されている。前記中管３４には、前記第１の噴霧孔６０に近接して第２の噴霧孔６２が形成されると共に、外管３６には、第２の噴霧孔６２に対応した位置に第３の噴霧孔６４が形成されている。これらの噴霧孔６２、６４は、連通管６６によって連通されている。
【００１６】
ところで、邪魔板６８が、内管３２と中管３４との間の空間７０を仕切るように設けられている。また、前記邪魔板６８は、第１の噴霧孔６０と第２の噴霧孔６２とを仕切るように設けられ、これにより、第１の噴霧孔６０からの蒸気が、図中点線で示すように、遠回りをして第２の噴霧孔６２に流れるようになっている。
【００１７】
中管と外管との間の空間７２には、前記蒸気よりも高温の流体（例えば高温油、高圧蒸気）が供給される。この流体は図２に示すように、蒸気噴霧管３０の右端に接合された供給用エルボ管７４から供給され、蒸気噴霧管３０の左端に接合された排出用エルボ管７６から排出される。また、前記流体は、図３に示すように変更板３８の中空部７８にも流れるため、変更板３８が加温される。この変更板３８は、第３の噴霧孔６４から噴き出された蒸気８０を、支持体１０に向けて噴霧させるものである。これによって、蒸気８０は、発散せず濃い状態で支持体１０に噴霧される。
【００１８】
次に、前記の如く構成された帯状物の湿潤装置の作用について説明する。
図３において、蒸気噴霧管３０の内管３２に蒸気が供給されると、この蒸気は内管３２の第１の噴霧孔６０から、内管と中管との空間７０に噴き出される。
噴き出された蒸気は、邪魔板６８によって第２の噴霧孔６２に対する近道が遮断されているので、遠回りをして第２の噴霧孔６２に向かって流れる。この空間７０を流れる途中で、乱れていた蒸気の流れは徐々に均一化され、そして、均一化した状態で第２の噴霧孔６２から連結管６６を介して第３の噴霧孔６４から支持体１０に向けて噴霧される。
【００１９】
即ち、本実施の形態では、邪魔板６８によって流路を長く確保することにより蒸気流を均一化したので、蒸気を帯状物に均一に噴霧することができる。
また、本実施の形態では、内管３２と中管３４との間に流れる蒸気は、中管３４と外管３６との間に供給されている高温の流体により中管３４が加熱されているため、中管に結露しない。また、第３の噴霧孔６４から噴き出された蒸気が外管３６に触れても、外管３６も前記流体によって加温されているので、外管３６に結露することもない。
【００２０】
更に、本実施の形態では、変更板３８によって蒸気を濃い状態で噴霧するようにしたので、支持体１０の湿潤効率を向上させることができる。
また、本実施の形態では、変更板３８を中空に形成し、この中空部７８に前記液体を流すようにしたので、噴き出された蒸気が変更板３８に結露するのを防止することができる。
【００２１】
【発明の効果】
本発明に係る帯状物の湿潤装置によれば、蒸気噴霧管を三重管構造に構成すると共に、内管と中管との間に邪魔板を配置して蒸気の流路を長くしたので、蒸気流を均一化して噴霧することができ、よって、蒸気を帯状物に均一に噴霧することができる。更に、変更板を設けることで蒸気を帯状物に効率良く噴霧することができる。
【図面の簡単な説明】
【図１】本発明の実施の形態に係る帯状物の湿潤装置が適用されたＰＳ版製造工程の一部を示す工程図
【図２】図１に示した湿潤装置の蒸気噴霧管の実施例を示す一部破断を含む側面図
【図３】図２中３−３からみた蒸気噴霧管の断面図
【図４】図２中４−４からみた蒸気噴霧管の断面図
【図５】図２中５−５からみた蒸気噴霧管の断面図
【図６】図２中６−６からみた蒸気噴霧管の断面図
【符号の説明】
１０…支持体
３０…蒸気噴霧管
３２…内管
３４…中管
３６…外管
３８…変更板
６０、６２、６４…噴霧孔
６８…邪魔板
【図１】
0003859029.tif 000002
【図２】
0003859029.tif 000003
【図３】
0003859029.tif 000004
【図４】
0003859029.tif 000005
【図５】
0003859029.tif 000006
【図６】
0003859029.tif 000007